(57)【要約】【課題】ＶＰ／ＶＣ−ＡＩＳセルおよびＶＰ／ＶＣ−ＲＤＩセルの送受信量を抑え、伝送効率の向上が可能なＡＴＭ交換システムの警報転送方式を提供する。【解決手段】ＡＴＭ装置にて伝送路状態および装置状態による警報転送発生時に警報転送されるＶＰ／ＶＣパスにおいて、同一の経路を介して通信している複数のＶＰ／ＶＣパスに対して特定のグループ番号を定義し、グループに属する複数のＶＰ／ＶＣパスの登録状態並びにパス状態を入り側と出側でＶＰ／ＶＣ値の昇順値に管理するパス情報管理データテーブルを持たせ、ＯＡＭセルにグループ番号と複数ＶＰ／ＶＣ情報をＶＰ／ＶＣ値の昇順に設定し、警報転送される各ＡＴＭ装置で入り側回線のＶＰ／ＶＣ値の昇順値で管理されたＶＰ／ＶＣ情報をパス情報管理データテーブルより出側回線の昇順に並び替えて１つのグループ警報を転送する。【選択図】　図１
2004112127.tif 000002
【特許請求の範囲】
【請求項１】
伝送路を介して複数のＡＴＭ交換装置が接続されるＡＴＭ網における警報転送方式において、同一の伝送路内に設けられている複数のＶＰ／ＶＣパスをグループ化し、ＶＰ／ＶＣパスの登録状態およびパス状態をグループ毎にＶＰ／ＶＣ値の昇順値に管理して１つのＶＰ／ＶＣ−ＡＩＳセルまたはＶＰ／ＶＣ−ＲＤＩセルとして送出することを特徴とするＡＴＭ網における警報転送方式。
【請求項２】
前記複数のＡＴＭ交換装置は、入り側回線のＶＰ／ＶＣ値の昇順値と出側回線のＶＰ／ＶＣ値の昇順値との対応を管理するパス情報管理データテーブルを有し、警報転送中継ポイントのＡＴＭ交換装置は入り側回線のＶＰ／ＶＣ値の昇順値に設定されたＶＰ／ＶＣ−ＡＩＳセルまたはＶＰ／ＶＣ−ＲＤＩセルのペイロード部を出側回線のＶＰ／ＶＣ値の昇順値に並び替えて隣接するＡＴＭ交換装置へＶＰ／ＶＣ−ＡＩＳセルまたはＶＰ／ＶＣ−ＲＤＩセルを送出することを特徴とする請求項１記載のＡＴＭ網における警報転送方式。
【請求項３】
前記ＶＰ／ＶＣ−ＡＩＳセル及びＶＰ／ＶＣ−ＲＤＩセルのペイロード部に、前記グループを識別するグループ番号設定エリアと、パスの異常発生を検出したＡＴＭ交換装置のアドレスを設定するパス異常発生検出ポイント情報エリアと、グループ内のパス異常発生ポイントのＶＰ／ＶＣを設定する複数のＶＰ／ＶＣ値設定エリアと、グループ内のパスの状態を設定する複数のパス状態エリアとを有することを特徴とする請求項１記載のＡＴＭ網における警報転送方式。
【請求項４】
前記複数のＡＴＭ交換装置で警報転送エンドポイントのＡＴＭ交換装置は、ＶＰ／ＶＣ−ＡＩＳセルを受信すると、前記グループ番号設定エリア情報より異常発生グループを認識し、以後ＶＰ／ＶＣ−ＡＩＳセル及びＶＰ／ＶＣ−ＲＤＩセルの定期受信を監視すると共に、セル上の入り側回線のＶＰ／ＶＣ値の昇順に設定された異常発生ポイントのＶＰ／ＶＣ値とパス状態を、前記パス情報管理データテーブルのＶＰ／ＶＣパスに対応させてパス状態を認識し、受信セルがＶＰ／ＶＣ−ＡＩＳセルの場合はセル種別をＡＩＳからＲＤＩに変換しＶＰ／ＶＣ−ＲＤＩセルとして受信回線に折り返し送信し、受信セルがＶＰ／ＶＣ−ＲＤＩセルの場合は警報転送終了としてセル廃棄することを特徴とする請求項３記載のＡＴＭ網における警報転送方式。
【請求項５】
異常発生ポイントの回復によりグループに属する全てのＶＰ／ＶＣパスのパス状態が正常になった場合、ＶＰ／ＶＣ−ＡＩＳセル送信を停止し、警報転送エンドポイントとなるＡＴＭ交換装置のＶＰ／ＶＣ−ＡＩＳセルおよびＶＰ／ＶＣ−ＲＤＩセルの受信定期監視がタイムアウトすることにより警報転送復旧を認識することを特徴とする請求項４記載のＡＴＭ網における警報転送方式。
【発明の詳細な説明】
【０００１】
【発明の属する技術分野】
本発明は、伝送路を介して複数のＡＴＭ交換装置が接続されるＡＴＭ網における警報転送方式に関し、特に同一経路に複数のＶＰ／ＶＣパスを有するＡＴＭ交換システムの警報転送方式に関する。
【０００２】
【従来の技術】
従来、ＡＴＭ網における警報転送方式は、例えば特開平１１−１９６１０５号公報や特開２００１−３３９３９６号公報に記載されているように、同一の経路を介して通信している複数のＶＰ／ＶＣパスであってもそれぞれのパス個別に警報セルを転送しており、警報転送発生時それぞれのパス毎に、ＶＰ／ＶＣで起きた故障を下流に通知するＶＰ／ＶＣ−ＡＩＳ（Ａｌａｒｍ　Ｉｎｄｉｃａｔｉｏｎ　Ｓｉｇｎａｌ）セルや、ＶＰ／ＶＣで起きた故障を上流に通知するＶＰ／ＶＣ−ＲＤＩ（Ｒｅｍｏｔｅ　Ｄｅｆｅｃｔ　Ｉｎｄｉｃａｔｉｏｎ）セルの送受信が行われていた。
【０００３】
【発明が解決しようとする課題】
しかし、上述した従来技術によると、警報転送必要パスの増加により、ＶＰ／ＶＣ−ＡＩＳセルおよびＶＰ／ＶＣ−ＲＤＩセルの送受信量も増加してしまい、他ユーザ使用パスの通信の妨げとなり伝送効率の低下が発生してしまうという問題点があった。
【０００４】
本発明は上記問題に鑑みてなされたものであって、ＶＰ／ＶＣ−ＡＩＳセルおよびＶＰ／ＶＣ−ＲＤＩセルの送受信量を抑え、伝送効率の向上が可能なＡＴＭ網における警報転送方式を提供することを目的とする。
【０００５】
【課題を解決するための手段】
本発明は、伝送路を介して複数のＡＴＭ交換装置が接続されるＡＴＭ網における警報転送方式において、同一の伝送路内に設けられている複数のＶＰ／ＶＣパスをグループ化し、ＶＰ／ＶＣパスの登録状態およびパス状態をグループ毎にＶＰ／ＶＣ値の昇順値に管理して１つのＶＰ／ＶＣ−ＡＩＳセルまたはＶＰ／ＶＣ−ＲＤＩセルとして送出することを特徴とする。
【０００６】
【発明の実施の形態】
次に本発明の実施形態について図面を参照して詳細に説明する。図１は本発明のＡＴＭ網における同一経路グループ警報転送方式に関わる実施形態の構成を示すブロック図である。
【０００７】
図１において、５つのＡＴＭ交換装置１Ａ，１Ｂ，１Ｃ，１Ｘ，１Ｙ，１Ｚは、伝送路１ＬＸＡ，１ＬＹＡ，１ＬＺＡ，１ＬＡＢ，１ＬＢＣによりそれぞれ接続されている。また、ＡＴＭ交換装置１Ａ，１Ｂ，１Ｃは伝送路１ＬＡＢ，１ＬＢＣにより接続され、複数のＶＰ／ＶＣパス１Ｖ１，１Ｖ２，１Ｖ３が同一の経路（伝送路）である警報転送グループ１Ｇ１上を通信している。
【０００８】
そして、ＡＴＭ交換装置１Ａ，１Ｃは警報転送終端ポイント（エンドポイント）として、ＡＴＭ交換装置１Ｂは警報転送中継ポイント（コネクティングポイント）として機能している。警報転送グループ１Ｇ１上を通信する複数のＶＰ／ＶＣパス１Ｖ１，１Ｖ２，１Ｖ３には１つのグループ番号を定義し、警報転送はこのグループ単位で行われる。
【０００９】
警報転送終端ポイントであるＡＴＭ交換装置１Ａ、１Ｃは、グループ警報転送機能１Ａ１、１Ｃ１と、ＶＰ／ＶＣパス情報並び替え送信機能１Ａ２、１Ｃ２と、グループ警報転送エンドポイント制御機能１Ａ３，１Ｃ３と、パス情報管理データテーブル１Ａ４、１Ｃ４を有し、警報転送中継ポイントであるＡＴＭ交換装置１Ｂは、グループ警報転送機能１Ｂ１と、ＶＰ／ＶＣパス情報並び替え送信機能１Ｂ２、パス情報管理データテーブル１Ｂ４を有する。
【００１０】
グループ警報転送機能１Ａ１、１Ｂ１、１Ｃ１は、グループ内の複数ＶＰ／ＶＣパス状態をグループ単位に伝達するために、グループ内のパス状態を設定したＯＡＭセルであるＶＰ／ＶＣ−ＡＩＳセルおよびＶＰ／ＶＣ−ＲＤＩセルを送信する。
【００１１】
ＶＰ／ＶＣパス情報並び替え送信機能１Ａ２、１Ｂ２、１Ｃ２は、受信したセル上のグループ番号設定エリア情報より異常発生グループを認識し、入り側回線のＶＰ／ＶＣ値の昇順に設定された異常発生ポイントＶＰ／ＶＣ値とパス状態を、パス情報管理データテーブルより、パス接続相手回線のＶＰ／ＶＣ値の昇順に並び替えて出側回線へ送信する。
【００１２】
グループ警報転送エンドポイント制御機能１Ａ３，１Ｃ３は、警報転送エンドポイントにて、受信セル上のグループ番号設定エリア情報より異常発生グループを認識し、以後ＶＰ／ＶＣ−ＡＩＳセルの定期受信を監視するとともに、ＶＰ／ＶＣ−ＡＩＳセル受信時のＶＰ／ＶＣ−ＲＤＩセル折り返し送信、および一巡したＶＰ／ＶＣ−ＲＤＩセルの廃棄を行う。
【００１３】
パス情報管理データテーブル１Ａ４、１Ｂ４、１Ｃ４は、入り側回線における１Ｇ１内のＶＰ／ＶＣ値の昇順値と出側回線の１Ｇ１内のＶＰ／ＶＣ値の昇順値との対応を管理する。
【００１４】
図２は、本実施形態で警報転送されるＶＰ／ＶＣ−ＡＩＳセルおよびＶＰ／ＶＣ−ＲＤＩセルのフォーマットを示すブロックである。ＶＰ／ＶＣ−ＡＩＳセルおよびＶＰ／ＶＣ−ＲＤＩセルのペイロード部は、グループ番号設定エリア２−ＧＲＰＮと、パス異常発生検出ポイント情報エリア２−ＡＬＭＰと，グループ単位で警報転送される複数のＶＰ／ＶＣパス情報が設定されるＶＰ／ＶＣ情報エリア２−ＶＰＶＣを有する。
【００１５】
２−ＶＰＶＣは、ＶＰ情報エリア２−ＶＰＩ１，２−ＶＰＩ２，２−ＶＰＩ３と、ＶＣ情報設定エリア２−ＶＣＩ１，２−ＶＣＩ２，２−ＶＣＩ３と、パスの動作状態エリア２−ＳＴＳ１，２−ＳＴＳ２，２−ＳＴＳ３とで構成される。
【００１６】
次に本実施形態の動作について図面を参照して詳細に説明する。図３は、本実施形態における異常状態発生時の認識動作を示すシーケンス図で、図１のＡＴＭ交換装置１ＸとＡＴＭ交換装置１Ａ間の伝送路１ＬＸＡが回線障害となり、ＡＴＭ交換装置１Ａ内でＡＴＭ交換装置１Ｘ向けの通信パス１Ｖ１が回線障害状態（３００）となり、さらにはＡＴＭ交換装置１ＹとＡＴＭ交換装置１Ａの間の伝送路１ＬＹＡが輻輳状態となり、ＡＴＭ交換装置１Ａ内でＡＴＭ交換装置１Ｙ向けの通信パス１Ｖ２が通信輻輳状態（１００）となった場合における認識動作を示している。
【００１７】
この時、ＡＴＭ交換装置１Ａは、通信パス１Ｖ１の回線障害状態（３００）と通信パス１Ｖ２の通信輻輳状態（１００）を、隣接するＡＴＭ交換装置１Ｂへグループ警報転送送信機能１Ａ１により伝達する。
【００１８】
ＡＴＭ交換装置１Ａは、グループ警報転送としてＶＰ／ＶＣ−ＡＩＳセル上の故障個所２−ＡＬＭＰにＡＴＭ交換装置１ＡのＡＴＭアドレスを設定し、グループ番号設定エリアに同一経路である警報転送グループ１Ｇ１のグループ番号を設定する。そして、ＶＰ／ＶＣパス情報並び替え送信機能１Ａ２により、出側回線１ＬＡＢのパス情報管理データテーブル１Ａ４のＶＰ／ＶＣ値の昇順値に従って、第１のグループ内パスＶＰＩ設定エリア２−ＶＰＩ１とグループ内パスＶＣＩ設定エリア２−ＶＣＩ１に昇順値１番目の通信パス１Ｖ２のＶＰＩ／ＶＣＩ（０／３２）を設定するとともに、グループ内パスの動作状態設定エリア２−ＳＴＳ１に通信パス１Ｖ２の通信輻輳状態（１００）を設定する。
【００１９】
第２のグループ内パスＶＰＩ設定エリア２−ＶＰＩ２とグループ内パスＶＣＩ設定エリア２−ＶＣＩ２には、昇順値２番目の通信パス１Ｖ３のＶＰＩ／ＶＣＩ（１／３３）を設定するとともに、グループ内パスの動作状態設定エリア２−ＳＴＳ２に通信パス１Ｖ３の通信正常状態（２００）を設定する。
【００２０】
第３のグループ内パスＶＰＩ設定エリア２−ＶＰＩ３とグループ内パスＶＣＩ設定エリア２−ＶＣＩ３には昇順値３番目の通信パス１Ｖ１のＶＰＩ／ＶＣＩ（２／３４）を設定するとともに、グループ内パスの動作状態設定エリア２−ＳＴＳ３に通信パス１Ｖ１の回線障害状態（３００）を設定する。
【００２１】
更に警報機能種別ＯＡＭ−ＦＵＮＣにはＡＩＳ（０）を設定し、グループ警報転送としてＶＰ／ＶＣ−ＡＩＳセル３ＡＩＳ−ＡＢを伝送路１ＬＡＢに送信タイマ１ＡＴＳで定期的に送信し、隣接するＡＴＭ交換装置１Ｂにグループ内のパス状態を伝達する。
【００２２】
グループ警報転送としてＶＰ／ＶＣ−ＡＩＳセル３ＡＩＳ−ＡＢを受信したＡＴＭ交換装置１Ｂでは、受信したＶＰ／ＶＣ−ＡＩＳセル３ＡＩＳ−ＡＢ上のグループ番号２−ＧＲＰＮより異常発生を認識する。そして、ＶＰ／ＶＣパス情報並び替え送信機能１Ｂ２により入り側回線１ＬＡＢの昇順に設定されたグループ内ＶＰ／ＶＣパス情報２−ＶＰＶＣと、パス情報管理データテーブル１Ｂ４の出側回線１ＬＢＣのＶＰ／ＶＣ値の昇順値に従い、入り側回線１ＬＡＢのＶＰ／ＶＣ値の昇順に設定された第１のグループ内パスＶＰＩ設定エリア２−ＶＰＩ１とグループ内パスＶＣＩ設定エリア２−ＶＣＩ１に設定された通信パス１Ｖ２のＶＰＩ／ＶＣＩ（０／３２）、およびグループ内パスの動作状態設定エリア２−ＳＴＳ１に設定された通信輻輳状態（１００）を、第２のグループ内パスＶＰＩ設定エリア２−ＶＰＩ２とグループ内パスＶＣＩ設定エリア２−ＶＣＩ２およびグループ内パスの動作状態設定エリア２−ＳＴＳ２に並び替える。
【００２３】
またＡＴＭ交換装置１Ｂは、第２のグループ内パスＶＰＩ設定エリア２−ＶＰＩ２とグループ内パスＶＣＩ設定エリア２−ＶＣＩ２に設定された通信パス１Ｖ３のＶＰＩ／ＶＣＩ（１／３３）、およびグループ内パスの動作状態設定エリア２−ＳＴＳ２に設定された通信正常状態（２００）を、第３のグループ内パスＶＰＩ設定エリア２−ＶＰＩ３とグループ内パスＶＣＩ設定エリア２−ＶＣＩ３およびグループ内パスの動作状態設定エリア２−ＳＴＳ３に並び替える。
【００２４】
さらにＡＴＭ交換装置１Ｂは、第３のグループ内パスＶＰＩ設定エリア２−ＶＰＩ３とグループ内パスＶＣＩ設定エリア２−ＶＣＩ３に設定された通信パス１Ｖ１のＶＰＩ／ＶＣＩ（２／３４）、およびグループ内パスの動作状態設定エリア２−ＳＴＳ３に設定された回線障害状態（３００）を、第１のグループ内パスＶＰＩ設定エリア２−ＶＰＩ１とグループ内パスＶＣＩ設定エリア２−ＶＣＩ１およびグループ内パスの動作状態設定エリア２−ＳＴＳ１に並び替える。
【００２５】
これらの並び替えによって、ＡＴＭ交換装置１Ｂは、通信パス１Ｖ２，１Ｖ３，１Ｖ１のパス状態（１００，２００，３００）を認識するとともに、グループ警報転送送信機能１Ｂ１によりＶＰ／ＶＣ−ＡＩＳセル３ＡＩＳ−ＢＣとして伝送路１ＬＢＣに送信し、隣接する警報ＡＴＭ交換装置１Ｃにグループ内のパス状態を伝達する。
【００２６】
グループ警報転送としてＶＰ／ＶＣ−ＡＩＳセル３ＡＩＳ−ＢＣを受信したＡＴＭ交換装置１Ｃでは、受信したＶＰ／ＶＣ−ＡＩＳセル３ＡＩＳ−ＢＣ上のグループ番号２−ＧＲＰＮより異常発生を認識する。そして、ＡＴＭ交換装置１Ｃは、ＶＰ／ＶＣパス情報並び替え送信機能１Ｃ２により、グループ内ＶＰ／ＶＣパス情報２−ＶＰＶＣとパス情報管理データテーブル１Ｃ４に従って入り側回線１ＬＢＣのＶＰ／ＶＣ値の昇順に設定された第１のグループ内パスＶＰＩ設定エリア２−ＶＰＩ１とグループ内パスＶＣＩ設定エリア２−ＶＣＩ１に設定された通信パス１Ｖ１のＶＰＩ／ＶＣＩ（２／３４）、およびグループ内パスの動作状態設定エリア２−ＳＴＳ１に設定された回線障害状態（３００）を把握する。
【００２７】
またＡＴＭ交換装置１Ｃは、第２のグループ内パスＶＰＩ設定エリア２−ＶＰＩ２とグループ内パスＶＣＩ設定エリア２−ＶＣＩ２に設定された通信パス１Ｖ２のＶＰＩ／ＶＣＩ（０／３２）、およびグループ内パスの動作状態設定エリア２−ＳＴＳ２に設定された通信輻輳状態（１００）を把握する。
【００２８】
更にＡＴＭ交換機１Ｃは、第３のグループ内パスＶＰＩ設定エリア２−ＶＰＩ３とグループ内パスＶＣＩ設定エリア２−ＶＣＩ３に設定された通信パス１Ｖ３のＶＰＩ／ＶＣＩ（１／３３）、およびグループ内パスの動作状態設定エリア２−ＳＴＳ３に設定された通信正常状態（２００）を把握する。
【００２９】
このようにしてＡＴＭ交換装置１Ｃは、通信パス１Ｖ１，１Ｖ２の通信異常状態を認識するとともに、グループ警報転送エンドポイント制御機能１Ｃ３により警報機能種別ＯＡＭ−ＦＵＮＣをＡＩＳ（０）からＲＤＩ（１）に変換し、グループ警報転送送信機能１Ｃ１によりＶＰ／ＶＣ−ＲＤＩセル３ＲＤＩ−ＣＢとして伝送路１ＬＢＣに折り返し送信し、その後定期的に送信されるグループ警報転送ＶＰ／ＶＣ−ＡＩＳセルの受信を１ＣＴＲ時間タイマ監視する。
【００３０】
グループ警報転送としてＶＰ／ＶＣ−ＲＤＩセル３ＡＩＳ−ＣＢを受信したＡＴＭ交換装置１Ｂでは、受信したＶＰ／ＶＣ−ＲＤＩセル３ＡＩＳ−ＣＢ上のグループ番号２−ＧＲＰＮより異常発生を認識する。そして、ＶＰ／ＶＣパス情報並び替え送信機能１Ｂ２は、グループ内ＶＰ／ＶＣパス情報２−ＶＰＶＣとパス情報管理データテーブル１Ｂ４に従い、入り側回線１ＬＢＣのＶＰ／ＶＣ値の昇順に設定された第１のグループ内パスＶＰＩ設定エリア２−ＶＰＩ１とグループ内パスＶＣＩ設定エリア２−ＶＣＩ１に設定された通信パス１Ｖ１のＶＰＩ／ＶＣＩ（２／３４）、およびグループ内パスの動作状態設定エリア２−ＳＴＳ１に設定された回線障害状態（３００）を、第３のグループ内パスＶＰＩ設定エリア２−ＶＰＩ３とグループ内パスＶＣＩ設定エリア２−ＶＣＩ３およびグループ内パスの動作状態設定エリア２−ＳＴＳ３に並び替える。
【００３１】
またＡＴＭ交換装置１Ｂは、第２のグループ内パスＶＰＩ設定エリア２−ＶＰＩ２とグループ内パスＶＣＩ設定エリア２−ＶＣＩ２に設定された通信パス１Ｖ２のＶＰＩ／ＶＣＩ（０／３２）、およびグループ内パスの動作状態設定エリア２−ＳＴＳ２に設定された通信輻輳状態（１００）を、第１のグループ内パスＶＰＩ設定エリア２−ＶＰＩ１とグループ内パスＶＣＩ設定エリア２−ＶＣＩ１およびグループ内パスの動作状態設定エリア２−ＳＴＳ１に並び替える。
【００３２】
さらにＡＴＭ交換装置１Ｂは、第３のグループ内パスＶＰＩ設定エリア２−ＶＰＩ３とグループ内パスＶＣＩ設定エリア２−ＶＣＩ３に設定された通信パス１Ｖ３のＶＰＩ／ＶＣＩ（１／３３）およびグループ内パスの動作状態設定エリア２−ＳＴＳ３に設定された通信正常状態（２００）を、第２のグループ内パスＶＰＩ設定エリア２−ＶＰＩ２とグループ内パスＶＣＩ設定エリア２−ＶＣＩ２、およびグループ内パスの動作状態設定エリア２−ＳＴＳ２に並び替える。
【００３３】
このようにしてＡＴＭ交換装置１Ｂは、ＶＰ／Ｖパス１Ｖ１，１Ｖ２，１Ｖ３のパス状態（３００，１００，２００）を認識する。その後、グループ警報転送送信機能１Ｂ１は、ＶＰ／ＶＣ−ＲＤＩセル３ＡＩＳ−ＢＡとして伝送路１ＬＡＢに送信し、隣接する警報ＡＴＭ交換装置１Ａにグループ内のパス状態を伝達する。
【００３４】
グループ警報転送としてＶＰ／ＶＣ−ＲＤＩセル３ＡＩＳ−ＢＡを受信したＡＴＭ交換装置１Ａでは、グループ警報転送エンドポイント制御機能１Ａ３により警報機能種別ＯＡＭ−ＦＵＮＣがＲＤＩ（１）であることから警報転送が一巡した事を認識し、警報転送終了としてＶＰ／ＶＣ−ＲＤＩセル３ＡＩＳ−ＢＡのセル廃棄を行う。
【００３５】
次に、図１，図２，図４を用いて、本実施形態におけるグループ警報転送の異常状態回復の認識動作を説明する。伝送路１ＬＸＡの回線障害が回復し、更に伝送路１ＬＹＡの輻輳状態回復も回復すると、伝送路状態および装置状態異常検出ポイントであるＡＴＭ交換装置１Ａ内では、ＡＴＭ交換装置１Ｘ向けの通信パス１Ｖ１の回線障害状態（３００）が通信正常状態（２００）となり、さらにはＡＴＭ交換装置１Ａ内でＡＴＭ交換装置１Ｙ向けの通信パス１Ｖ２の通信輻輳状態（１００）が通信正常状態（２００）となる。
【００３６】
そして、警報転送グループ１Ｇ１に属する全てのＶＰ／ＶＣパスのパス状態が通信正常状態（２００）になるとＡＴＭ交換装置１Ａは、グループ警報転送復旧としてＶＰ／ＶＣ−ＡＩＳセルの送信を停止し、警報転送エンドポイントのＡＴＭ交換装置１ＣのＶＰ／ＶＣ−ＡＩＳセル受信を監視する監視タイマ１ＣＴＲがタイムアウトする事により警報転送復旧を認識し、警報転送グループ１Ｇ１に属する全てのＶＰ／ＶＣパス１Ｖ１，１Ｖ２，１Ｖ３の異常状態回復とする。
【００３７】
上述の実施形態では、警報転送されるＡＴＭ交換装置が３つで、警報転送されるグループ数が１つで、グループ内のＶＰ−ＶＣ数が３つである場合について説明したが、本発明はＡＴＭ交換装置数およびグループ数およびＶＰ−ＶＣ数に制限することなく、適用することができる。
【００３８】
【発明の効果】
以上説明したように、本発明は、同一の経路を介して通信している複数のＶＰ／ＶＣパスに対して特定のグループ番号を定義し、グループに属する全てのＶＰ／ＶＣパスの登録状態ならびにパス状態を設定したＶＰ／ＶＣ−ＡＩＳおよびＶＰ／ＶＣ−ＲＤＩセルの送受信をすることにより、ＶＰ／ＶＣパス単位に送受信されていたＶＰ／ＶＣ−ＡＩＳおよびＶＰ／ＶＣ−ＲＤＩセルの送受信量を抑え、他ユーザ使用パスの通信の妨げとならぬよう伝送効率の低下を防止することが可能となる。
【図面の簡単な説明】
【図１】本実施形態の構成を示すブロック図である。
【図２】ＶＰ／ＶＣ−ＡＩＳセルおよびＶＰ／ＶＣ−ＲＤＩセルのフォーマットを示すブロック図である。
【図３】本実施形態における異常状態発生時の認識動作シーケンスを示すシーケンス図である。
【図４】本実施形態における異常状態回復時の認識動作シーケンスを示すシーケンス図である。
【符号の説明】
１Ａ，１Ｂ，１Ｃ，１Ｘ，１Ｙ，１Ｚ，　　ＡＴＭ交換装置
１ＬＡＢ，１ＬＢＣ，１ＬＸＡ，１ＬＹＡ，１ＬＺＡ　　伝送路
１Ｖ１，１Ｖ２，１Ｖ３　　ＶＰ／ＶＣパス
１Ａ１，１Ｂ１，１Ｃ１　　グループ警報転送送信機能
１Ａ２，１Ｂ２，１Ｃ２　　ＶＰ／ＶＣパス情報並び替え送信機能
１Ａ３，１Ｃ３　　グループ警報転送エンドポイント制御機能
１Ａ４，１Ｂ４，１Ｃ４　　パス情報管理データテーブル
【図１】
2004112127.tif 000003
【図２】
2004112127.tif 000004
【図３】
2004112127.tif 000005
【図４】
2004112127.tif 000006